(57)【要約】【課題】  内部に意匠用の疑似境界線を有する板状建材１０を用いた場合に、各境界線によって醸し出される模様を考慮した施工を可能にする。【解決手段】  建材データベース１２０内に、意匠用の疑似境界線の位置を含めた複数種類の板状建材１０の平面図データを用意する。設計事務所Ｘから施工対象面の平面図を含むＣＡＤデータＡを入力し、当該施工対象面に貼る板状建材１０とその配置パターンを、オペレータの指示入力に基づいて選択する。施工結果画像作成部１３０は、施工対象面上に、選択された板状建材１０を選択された配置パターンで配置したときの疑似境界線を含めた境界線模様を示す施工結果画像を作成して、画像表示部１１０に表示する。指示情報作成部１４０は、この施工結果画像に基づいて、加工工場Ｙに対して指示する切断加工指示情報Ｂを作成し、施工現場Ｚに対して指示する施工作業指示情報Ｃを作成する。【選択図】  図７
2006164114.tif 000002
【特許請求の範囲】
【請求項１】
意匠用疑似単位板が表面に複数配列されている板状建材を用いた施工作業を支援する装置であって、
板状建材自体の表面周囲の輪郭線上に形成されている物理境界線の位置と、板状建材内部における意匠用疑似単位板間の境界線上に形成されている疑似境界線の位置と、を含む板状建材の平面図データを、複数の板状建材についてそれぞれ格納した建材データベースと、
オペレータの指示を入力する指示入力部と、
前記指示入力部が入力した指示に基づいて、前記建材データベースから、１種類もしくは複数種類の板状建材を選択する建材選択部と、
前記指示入力部が入力した指示に基づいて、選択された板状建材を二次元平面上に配置するための特定の配置パターンを決定する配置パターン決定部と、
施工対象面の平面図を含むＣＡＤデータを入力するＣＡＤデータ入力部と、
前記ＣＡＤデータ入力部によって入力されたＣＡＤデータによって特定される施工対象面上に、前記建材選択部で選択された板状建材を前記配置パターン決定部で決定された配置パターンに基づいて配置したときの物理境界線および疑似境界線の位置を示す施工結果画像を作成する施工結果画像作成部と、
前記施工結果画像を表示する画像表示部と、
を備えることを特徴とする板状建材の施工作業支援装置。
【請求項２】
請求項１に記載の支援装置において、
前記ＣＡＤデータ入力部によって入力されたＣＡＤデータと前記配置パターン決定部で決定された配置パターンとに基づいて、前記建材選択部で選択された板状建材に対して施す切断加工を指示する切断加工指示情報を作成する指示情報作成部を更に備えることを特徴とする板状建材の施工作業支援装置。
【請求項３】
請求項１に記載の支援装置において、
前記ＣＡＤデータ入力部によって入力されたＣＡＤデータと前記配置パターン決定部で決定された配置パターンとに基づいて、前記建材選択部で選択された板状建材を用いた施工作業を指示する施工作業指示情報を作成する指示情報作成部を更に備えることを特徴とする板状建材の施工作業支援装置。
【請求項４】
請求項３に記載の支援装置において、
指示情報作成部が、施工対象面上に板状建材を配置した状態を示す平面図上において、個々の板状建材に実際に付される識別コードを、前記平面図上の各板状建材の位置に記述した施工作業指示情報を作成する機能を有することを特徴とする板状建材の施工作業支援装置。
【請求項５】
請求項３または４に記載の支援装置において、
建材データベース内に、隣接する２つの側面に嵌合用凸部を有し、これらに対向する２つの側面に嵌合用凹部を有する矩形をした板状建材についてのデータが、前記嵌合用凸部および前記嵌合用凹部の位置を示すデータとともに格納されており、
指示情報作成部が、前記嵌合用凸部および前記嵌合用凹部の位置を考慮して、施工順序を示す施工作業指示情報を作成する機能を有することを特徴とする板状建材の施工作業支援装置。
【請求項６】
請求項１〜５のいずれかに記載の支援装置において、
配置パターン決定部が、複数通りの配置パターンを予め記憶しており、指示入力部が入力した選択指示に基づいて、前記複数通りの配置パターンの中から特定のパターンを選択することにより、配置パターンの決定を行うことを特徴とする板状建材の施工作業支援装置。
【請求項７】
請求項１〜５のいずれかに記載の支援装置において、
配置パターン決定部が、指示入力部が入力したパラメータに基づいて、配置パターンの決定を行うことを特徴とする板状建材の施工作業支援装置。
【請求項８】
請求項７に記載の支援装置において、
指示入力部が、位相差ｄ（０≦ｄ≦１）をパラメータとして入力する機能を有し、
配置パターン決定部が、二次元直交座標系の座標軸を第１の軸および第２の軸と定義したときに、第１の軸方向の長さＬをもった同一矩形を、第１の軸方向に連続的に配置して構成した行を、１つの行の矩形と次の行の矩形との第１の軸方向のずれ量がｄ×Ｌとなるように第２の軸方向に繰り返し配置してなる配置パターンを決定することを特徴とする板状建材の施工作業支援装置。
【請求項９】
請求項１〜８のいずれかに記載の支援装置において、
指示入力部が、施工対象面上の所定位置を基準点Ｑとする指示を入力する機能を有し、
施工結果画像作成部が、前記基準点Ｑの位置に、板状建材側に予め定められた始点がくるように、板状建材の配置を行うことを特徴とする板状建材の施工作業支援装置。
【請求項１０】
請求項１〜９のいずれかに記載の支援装置において、
ＣＡＤデータ入力部が、施工対象面を含む部屋の立体構造を示すＣＡＤデータを入力する機能を有し、
施工結果画像作成部が、前記部屋の平面図からなる施工結果画像と、前記部屋の三次元透視図からなる施工結果画像と、の双方を作成する機能を有することを特徴とする板状建材の施工作業支援装置。
【請求項１１】
請求項１〜１０のいずれかに記載の支援装置において、
建材データベース内に、個々の板状建材が有する柄模様のデータが格納されており、
施工結果画像作成部が、物理境界線および疑似境界線の位置とともに、各板状建材の柄模様を示す施工結果画像を作成することを特徴とする板状建材の施工作業支援装置。
【請求項１２】
請求項１〜１１のいずれかに記載の支援装置としてコンピュータを機能させるためのプログラム。
【発明の詳細な説明】
【技術分野】
【０００１】
本発明は、板状建材の施工作業支援装置に関し、特に、意匠用の疑似境界線を有する板状建材を用いた施工作業を支援するための装置に関する。
【背景技術】
【０００２】
建築設計の分野では、三次元ＣＡＤシステムの導入により、建物の基本設計をコンピュータ上で行うことが一般的になっている。たとえば、下記の特許文献１には、コンピュータを利用して建築設計図を作成する技術が開示されている。また、下記の特許文献２には、部屋の寸法を指定することにより、規格化された一般建材を用いて、当該部屋の室内を自動設計するシステムが開示されている。このように、コンピュータを利用した設計手法の利点のひとつは、施工工程のシミュレーションにより、完成図を画像として即座に提示できる点である。
【０００３】
一方、施工工程の管理をコンピュータを利用して行うシステムも提案されている。たとえば、下記の特許文献３には、建築の工程計画の立案作業を支援するためのシステムが開示されている。このシステムでは、オペレータがディスプレイ画面上で工程フローチャートを入力すると、個々の作業の工程日数を考慮した全体工程表の作成が可能になる。
【特許文献１】特開２００２−１９７１２６号公報
【特許文献２】特開平６−３３７９１１号公報
【特許文献３】特開平９−２２１９１２号公報
【発明の開示】
【発明が解決しようとする課題】
【０００４】
現在、一般に利用されている床材、壁材、天井材などの板状建材の表面には、意匠用の疑似境界線が形成されているものが多い。この疑似境界線は、複数の板状建材を隣接配置することによって物理的に生じる建材間の物理境界線ではなく、あくまでも意匠上の配慮から形成されるデザインとしての境界線ということになる。もっとも、通常は、個々の疑似境界線は、物理境界線に似せて作られており、施工後は、一見したところ、両者の区別がつかなくなる。
【０００５】
このような疑似境界線を有する板状建材を用いた施工を行うと、物理境界線と疑似境界線との双方によって、線状模様が形成されることになるので、最終的な施工面の意匠は、物理境界線と疑似境界線との双方によって決定されることになる。しかしながら、従来、この境界線によって醸し出される模様からなる意匠は、設計段階では十分な配慮がなされておらず、施工時の作業者（大工）の作業方法によって決定される事項となっていた。このため、建材メーカーも、施工時の作業者（大工）が如何なる施工方法をとっても、大きな差異を生じない無難な意匠をもった板状建材を提供しているのが現状である。
【０００６】
そこで本発明は、意匠用の疑似境界線を有する板状建材を用いた場合に、物理境界線と疑似境界線との双方によって醸し出される模様を考慮した施工が可能となるような支援装置を提供することを目的とする。
【課題を解決するための手段】
【０００７】
(1)   本発明の第１の態様は、意匠用疑似単位板が表面に複数配列されている板状建材を用いた施工作業を支援する板状建材の施工作業支援装置において、
板状建材自体の表面周囲の輪郭線上に形成されている物理境界線の位置と、板状建材内部における意匠用疑似単位板間の境界線上に形成されている疑似境界線の位置と、を含む板状建材の平面図データを、複数の板状建材についてそれぞれ格納した建材データベースと、
オペレータの指示を入力する指示入力部と、
指示入力部が入力した指示に基づいて、建材データベースから、１種類もしくは複数種類の板状建材を選択する建材選択部と、
指示入力部が入力した指示に基づいて、選択された板状建材を二次元平面上に配置するための特定の配置パターンを決定する配置パターン決定部と、
施工対象面の平面図を含むＣＡＤデータを入力するＣＡＤデータ入力部と、
ＣＡＤデータ入力部によって入力されたＣＡＤデータによって特定される施工対象面上に、建材選択部で選択された板状建材を配置パターン決定部で決定された配置パターンに基づいて配置したときの物理境界線および疑似境界線の位置を示す施工結果画像を作成する施工結果画像作成部と、
施工結果画像を表示する画像表示部と、
を設けるようにしたものである。
【０００８】
(2)   本発明の第２の態様は、上述の第１の態様に係る板状建材の施工作業支援装置において、
ＣＡＤデータ入力部によって入力されたＣＡＤデータと配置パターン決定部で決定された配置パターンとに基づいて、建材選択部で選択された板状建材に対して施す切断加工を指示する切断加工指示情報を作成する指示情報作成部を更に設けるようにしたものである。
【０００９】
(3)   本発明の第３の態様は、上述の第１の態様に係る板状建材の施工作業支援装置において、
ＣＡＤデータ入力部によって入力されたＣＡＤデータと配置パターン決定部で決定された配置パターンとに基づいて、建材選択部で選択された板状建材を用いた施工作業を指示する施工作業指示情報を作成する指示情報作成部を更に設けるようにしたものである。
【００１０】
(4)   本発明の第４の態様は、上述の第３の態様に係る板状建材の施工作業支援装置において、
指示情報作成部が、施工対象面上に板状建材を配置した状態を示す平面図上において、個々の板状建材に実際に付される識別コードを、平面図上の各板状建材の位置に記述した施工作業指示情報を作成するようにしたものである。
【００１１】
(5)   本発明の第５の態様は、上述の第３または第４の態様に係る板状建材の施工作業支援装置において、
建材データベース内に、隣接する２つの側面に嵌合用凸部を有し、これらに対向する２つの側面に嵌合用凹部を有する矩形をした板状建材についてのデータが、嵌合用凸部および嵌合用凹部の位置を示すデータとともに格納されており、
指示情報作成部が、嵌合用凸部および嵌合用凹部の位置を考慮して、施工順序を示す施工作業指示情報を作成するようにしたものである。
【００１２】
(6)   本発明の第６の態様は、上述の第１〜第５の態様に係る板状建材の施工作業支援装置において、
配置パターン決定部が、複数通りの配置パターンを予め記憶しており、指示入力部が入力した選択指示に基づいて、この複数通りの配置パターンの中から特定のパターンを選択することにより、配置パターンの決定を行うようにしたものである。
【００１３】
(7)   本発明の第７の態様は、上述の第１〜第５の態様に係る板状建材の施工作業支援装置において、
配置パターン決定部が、指示入力部が入力したパラメータに基づいて、配置パターンの決定を行うようにしたものである。
【００１４】
(8)   本発明の第８の態様は、上述の第７の態様に係る板状建材の施工作業支援装置において、
指示入力部が、位相差ｄ（０≦ｄ≦１）をパラメータとして入力する機能を有し、
配置パターン決定部が、二次元直交座標系の座標軸を第１の軸および第２の軸と定義したときに、第１の軸方向の長さＬをもった同一矩形を、第１の軸方向に連続的に配置して構成した行を、１つの行の矩形と次の行の矩形との第１の軸方向のずれ量がｄ×Ｌとなるように第２の軸方向に繰り返し配置してなる配置パターンを決定するようにしたものである。
【００１５】
(9)   本発明の第９の態様は、上述の第１〜第８の態様に係る板状建材の施工作業支援装置において、
指示入力部が、施工対象面上の所定位置を基準点Ｑとする指示を入力する機能を有し、
施工結果画像作成部が、この基準点Ｑの位置に、板状建材側に予め定められた始点がくるように、板状建材の配置を行うようにしたものである。
【００１６】
(10)  本発明の第１０の態様は、上述の第１〜第９の態様に係る板状建材の施工作業支援装置において、
ＣＡＤデータ入力部が、施工対象面を含む部屋の立体構造を示すＣＡＤデータを入力する機能を有し、
施工結果画像作成部が、この部屋の平面図からなる施工結果画像と、この部屋の三次元透視図からなる施工結果画像と、の双方を作成するようにしたものである。
【００１７】
(11)  本発明の第１１の態様は、上述の第１〜第１０の態様に係る板状建材の施工作業支援装置において、
建材データベース内に、個々の板状建材が有する柄模様のデータを格納しておくようにし、
施工結果画像作成部が、物理境界線および疑似境界線の位置とともに、各板状建材の柄模様を示す施工結果画像を作成するようにしたものである。
【００１８】
(12)  本発明の第１２の態様は、上述の第１〜第１１の態様に係る板状建材の施工作業支援装置を、コンピュータに専用プログラムを組み込むことにより構成するようにしたものである。
【発明の効果】
【００１９】
本発明に係る板状建材の施工作業支援装置では、個々の板状建材についての意匠用の疑似境界線の位置を含めた平面図データと、この板状建材を平面上に配置する配置パターンとに基づいて、施工結果画像が作成されるため、意匠用の疑似境界線を有する板状建材を用いた場合に、物理境界線と疑似境界線との双方によって醸し出される模様を考慮した施工が可能となる。
【発明を実施するための最良の形態】
【００２０】
以下、本発明を図示する実施形態に基づいて説明する。
【００２１】
＜＜＜  §１．意匠用の疑似境界線を有する板状建材  ＞＞＞
本発明は、意匠用の疑似境界線を有する板状建材を用いた施工を前提としたものであり、ここでは、この板状建材の特徴およびその施工時の留意点を簡単に説明しておく。図１は、このような板状建材１０の一例を示す斜視図である。図示の板状建材１０は、全体で１枚の板状構造体を構成し、その上面は矩形状をなしている。この板状建材１０自体の上面外周をなす矩形状の輪郭線上には、物理境界線Ｇ１が形成されている。一方、この矩形状の物理境界線Ｇ１の内側には、疑似境界線Ｇ２が形成されている。ここでは、この物理境界線Ｇ１および疑似境界線Ｇ２が、いずれも表面上に掘られた溝によって構成されている例を示し、図１では、この溝部分を太線で示してある。物理境界線Ｇ１も疑似境界線Ｇ２も、意匠用疑似単位板１１の境界線を示すものであるが、物理境界線Ｇ１は板状建材１０自体の物理的な輪郭線に一致する境界線であるのに対して、疑似境界線Ｇ２は板状建材１０の内部に形成された境界線ということになる。
【００２２】
板状建材１０の上面に、このような物理境界線Ｇ１および疑似境界線Ｇ２が形成されているのは、意匠上の見地からである。すなわち、物理境界線Ｇ１および疑似境界線Ｇ２により、板状建材１０の上面には、複数の意匠用疑似単位板１１（図１において、個々の太線で囲まれた部分）が形成されることになり、この板状建材１０を、たとえば床材として多数敷き詰めた場合、視覚的には、「多数の板状建材１０が敷き詰められている」という印象ではなく、「多数の意匠用疑似単位板１１が敷き詰められている」という印象を与えることができる。
【００２３】
図２は、図１に示す板状建材１０を切断線２−２に沿って切断した状態を示す側断面図である。図示の例は、板状建材１０が、表面装飾層１２と、これを支持するための３層の合板からなる合板基材部１３と、によって構成されている例である。図示のとおり、この合板基材部１３の中層部分の左端には、嵌合用凸部１４（一般に、「さね」と呼ばれている）が設けられており、同右端には、嵌合用凹部１５が設けられている。施工時には、多数の板状建材１０を施工対象面上に配置することになるが、その際に、隣接配置された一方の板状建材１０の嵌合用凸部１４を他方の板状建材１０の嵌合用凹部１５に嵌合させることになる。
【００２４】
上述したように、この例では、物理境界線Ｇ１および疑似境界線Ｇ２が、いずれも表面上に掘られた溝によって構成されているが、この溝は、表面装飾層１２を貫通して合板基材部１３の上層部分に達する深さのものになっている。図２の左右両端に示されている物理境界線Ｇ１は、隣接配置された別な板状建材１０の物理境界線Ｇ１と合わさることにより１つの溝が形成されるように、溝の片側半分のみの構造を有している。これに対して、疑似境界線Ｇ２は、それぞれが１つの完全な溝を形成している。これらの溝を形成することにより、１枚の板状建材１０の表面装飾層１２は、幅Ｗをもった３枚の意匠用疑似単位板１１に分けられることになる。
【００２５】
ここに示す例では、１枚の板状建材１０は、縦３００ｍｍ、横１８００ｍｍの寸法を有しており、施工時には、この大きさの板状建材１０が多数配置されることになる。ただ、視覚的には、物理境界線Ｇ１も疑似境界線Ｇ２も区別はつかないので、このような板状建材１０を多数敷き詰めた場合、３００ｍｍ×１８００ｍｍの板状建材の集合体として認識されるわけではなく、幅Ｗ＝１０ｍｍの細長い板（意匠用疑似単位板１１）の集合体として認識されることになる。
【００２６】
以上、本発明に係る支援装置を利用した施工作業で用いられる板状建材１０の一例を図示したが、もちろん、本発明に係る支援装置の適用対象は、図示の板状建材１０を用いた施工作業に限定されるものではない。本発明は、意匠用疑似単位板が表面に複数配列されている板状建材を用いた施工作業に広く適用可能なものであり、合板基材部１３の構造や各溝の形成位置は、任意のものでかまわない。
【００２７】
図３は、図２に示す板状建材１０のバリエーションを示す側断面図である。このバリエーションに係る板状建材１０の上面は、図示のとおり、左側部分１２ａ，中央部分１２ｂ，右側部分１２ｃに分けられる。ここで、中央部分１２ｂおよび右側部分１２ｃの幅はＷであるが、左側部分１２ａの幅はＷ／２となっている。また、この板状建材１０の左右の物理的輪郭線上には物理境界線Ｇ１となる溝が形成されていない。このような構造をもった２枚の板状建材１０を左右に並べて隣接配置した場合、右側に配置された板状建材１０の左側部分１２ａ（幅Ｗ／２の部分）と、左側に配置された板状建材１０の右側部分１２ｃ（幅Ｗの部分）とが連なり、視覚的には、あたかも幅１．５Ｗの細長い板が形成されているように見える。この場合、左側部分１２ａと右側部分１２ｃとの間のつなぎ目は、板状建材１０自体の物理的な輪郭線ではあるが、意匠用疑似単位板１１の物理境界線Ｇ１にはならない。したがって、この図３に示す板状建材１０を多数配置した場合、幅Ｗをもった意匠用疑似単位板（中央部分１２ｂからなる部分）と、幅１．５Ｗをもった意匠用疑似単位板（左側部分１２ａと右側部分１２ｃとからなる連続部分）と、の２種類の意匠用疑似単位板が交互に配置されているように見える。
【００２８】
このように、本発明にいう「物理境界線Ｇ１」や「疑似境界線Ｇ２」は、あくまでも「意匠用疑似単位板１１の境界線」を意味するものであり、板状建材１０自体の輪郭線を意味するものではない。図２や図３に示す例の場合、この「意匠用疑似単位板１１の境界線」は溝として形成されており、この溝で囲まれた１つの閉領域が、１枚の意匠用疑似単位板１１として認識されることになる。ここで、意匠用疑似単位板１１の周囲を画定するための境界線（図示の例では溝）のうち、たまたま板状建材１０自体の上面外周の輪郭線と一致する境界線を「物理境界線Ｇ１」と呼び、一致しない境界線を「疑似境界線Ｇ２」と呼ぶことになる。
【００２９】
なお、意匠用疑似単位板１１は、意匠デザイン上の見地から設けられたものであるから、当然、物理境界線Ｇ１や疑似境界線Ｇ２は、肉眼で容易に確認できる視認性を有している必要がある。もっとも、これらの境界線Ｇ１，Ｇ２は、必ずしも溝として形成する必要はなく、十分な視認性を確保できるのであれば、たとえば、印刷などの手法で形成された線によって構成してもかまわない。あるいは、色や材質が異なる複数種類の意匠用疑似単位板１１を所定順序で配置したような板状建材１０の場合、わざわざ線や溝などを形成するまでもなく、色や材質の境界がそのまま意匠用疑似単位板１１の境界線Ｇ１，Ｇ２として機能することになる。たとえば、図１に示す板状建材１０の上面に示されている７つの意匠用疑似単位板１１を、それぞれ異なる色で着色した場合を考えれば、これらの境界線に線を印刷したり溝を形成したりすることなしに、個々の意匠用疑似単位板１１を視認することができる。
【００３０】
ところで、このような板状建材１０を、施工対象面に貼り付けてゆく場合、種々の配置パターンが選択可能である。図４〜図６は、図１に示す同一の板状建材１０を、それぞれ異なる配置パターンで貼り付けた結果を示す平面図である。すなわち、図４(a) ，図５(a) ，図６(a) は、いずれも図１に示す板状建材１０の平面図である。この例では、板状建材１０の右辺および下辺に嵌合用凸部１４が形成され（図では太線で示す）、左辺および上辺に嵌合用凹部１５が形成されている（図示されていない）。
【００３１】
また、図４(b) ，図５(b) ，図６(b) は、いずれも板状建材１０を二次元平面上に行列状に配置する際の配置パターンを示すものであり、ある行に配置された板状建材１０（図の上段にハッチングを施して示された矩形）と、次の行に配置された板状建材１０（図の下段にハッチングを施して示された矩形）との横方向に関する位置関係を示している。たとえば、図４(b) に示す配置パターンは、ずれ量が０の配置パターンであり、ある行に配置された板状建材１０の直下に左右両辺が揃うように、次の行の板状建材１０を配置するパターンを示している。これに対して、図５(b) に示す配置パターンは、ずれ量をＬ／２（但し、Ｌは板状建材１０の横方向の長さ）に設定したときの配置パターンであり、ある行に配置された板状建材１０の下に、位相を半ピッチずらすように、次の行の板状建材１０を配置するパターンを示している。また、図６(b) に示す配置パターンは、ずれ量をＬ／４に設定したときの配置パターンであり、ある行に配置された板状建材１０の下に、位相を１／４ピッチずらすように、次の行の板状建材１０を配置するパターンを示している。
【００３２】
図４(c) ，図５(c) ，図６(c) は、多数の板状建材１０を、それぞれ図４(b) ，図５(b) ，図６(b) に示す配置パターンで配置したときの結果を示す平面図である。いずれの平面図にも、板状建材１０の物理境界線Ｇ１および疑似境界線Ｇ２が線で表示されている。なお、左右端部にみられる波線は、１枚の板状建材１０が途中で切断されていることを示している。ここで、各配置結果を示す図４(c) ，図５(c) ，図６(c) に示された個々の矩形は、それぞれ個々の意匠用疑似単位板１１に対応することになり、この平面図には、意匠用疑似単位板１１の境界線によって醸し出される模様が現れていることになる。
【００３３】
実際、図２に示すように、上面に掘られた溝によって物理境界線Ｇ１および疑似境界線Ｇ２が構成されている板状建材１０を用いて施工した場合、施工対象面には、図４(c) ，図５(c) ，図６(c) に示すような様々な溝のパターンが得られることになる。同一の板状建材１０を用いた施工であっても、配置パターンが異なれば、最終的に施工対象面上に醸し出される溝のパターンも異なったものになることがわかる。
【００３４】
ここでは、ずれ量を０，Ｌ／２，Ｌ／４とした３通りの配置パターンについての結果を示したが、もちろん、配置パターンは理論上無限に存在する。ただ、通常は、図４に示すようにずれ量を０とする配置パターンは用いられない。これは、ずれ量を０とする配置パターンには、施工後の強度が十分に確保できないという問題があるからである。このため、実用上は、図５に示す例のように、ずれ量をＬ／２とする配置パターンや、図６に示す例のように、ずれ量をＬ／４とする配置パターンが用いられることが多い。
【００３５】
もっとも、どの配置パターンを採用するかは、現場の作業者（大工）の判断に委ねられているのが現状である。現場の作業者は、長年の経験と勘により、ずれ量をＬ／２やＬ／４に定め、個々の施工対象面に応じた配置パターンを採用することになる。たとえば、図５(c) や図６(c) に波線で示す部分に対しては、切断工程を行う必要があるが、できるだけ材料を無駄にしないように切断するためには、ずれ量をいくつに設定すればよいか、といった判断を、現場の作業者が経験と勘で行うことになる。したがって、現状では、施工対象面の仕上がり具合が、図５(c) のようになるのか、図６(c) のようになるのか、あるいは別な配置パターンの採用により別な態様になるのかは、実際の施工が完了するまで予想できず、意匠用疑似単位板１１の境界線によって醸し出される意匠には、十分な配慮がなされていないことになる。
【００３６】
たしかに図４(c) ，図５(c) ，図６(c) に示す平面図を比較すると、意匠的には大差はないように見えるかもしれないが、これは裏を返せば、もとの板状建材１０上に形成されている意匠用疑似単位板１１の配置が、板状建材１０をどのような配置パターンで配置したとしても、ほぼ同じような雰囲気の意匠をもった結果が得られるように、個性のない配置となっているためである。すなわち、従来は、現場の作業者がどのようなずれ量を設定して施工を行ったとしても、ほぼ無難な結果が得られるように、板状建材１０上の各意匠用疑似単位板１１の構成も無難なものにするのが常識と考えられていたのである。
【００３７】
本発明の基本思想は、設計段階から板状建材１０の配置パターンを決定しておき、施工時には、現場の作業者に対して、この設計段階で決定した配置パターンどおりの施工を行わせるようにし、意匠用疑似単位板１１の境界線によって醸し出される意匠にも配慮した建築物を実現させようとする点にある。
【００３８】
＜＜＜  §２．本発明に係る施工作業支援装置の基本構成  ＞＞＞
図７は、本発明の一実施形態に係る板状建材の施工作業支援装置１００の基本構成を示すブロック図である。図示のとおり、この施工作業支援装置１００は、画像表示部１１０、建材データベース１２０、施工結果画像作成部１３０、指示情報作成部１４０、建材選択部１５０、配置パターン決定部１６０、ＣＡＤデータ入力部１７０、指示入力部１８０なる構成要素からなる。もっとも、これらの各構成要素は、実際にはコンピュータのハードウエアおよびソフトウエアの組み合わせによって実現されるものであり、結局、この施工作業支援装置１００は、コンピュータに専用のアプリケーションソフトウエアを組み込むことにより構成できる。
【００３９】
画像表示部１１０は、コンピュータ用のモニタ装置によって構成され、施工結果画像作成部１３０によって作成された施工結果画像を表示したり、指示入力部１８０による指示入力作業を補助するための画面を表示したりする機能を有する。一方、指示入力部１８０は、キーボードやマウスなどのコンピュータ用入力機器と入力処理を行うソフトウエアによって構成され、オペレータから種々の指示を入力する機能を有する。
【００４０】
建材データベース１２０は、種々の板状建材についての諸データを格納したデータベースであり、実際には、コンピュータの記憶装置とデータベース管理機能をもったプログラムによって構成される。このような建材用のデータベース自体は、既に公知のシステムであるが、本発明で用いる建材データベース１２０の特徴は、板状建材１０自体の物理的輪郭線上に形成されている物理境界線Ｇ１の位置と、板状建材１０内部における意匠用疑似単位板１１間の境界線上に形成されている疑似境界線Ｇ２の位置と、を含む板状建材１０の平面図データを、複数の板状建材についてそれぞれ格納している点にある。具体的には、たとえば、図１に示す板状建材１０については、図４(a) に示すような平面図データが実寸データとともに建材データベース１２０内に用意されることになる。もちろん、実用上は、個々の板状建材１０について、商品コード、サイズ・重量、材質・カラー、価格などのデータも、建材データベース１２０内に用意しておけば、本発明以外の用途にも利用することが可能である。なお、板状建材は、床材、壁材、天井材、外壁材など、どのような建材であってもかまわないが、意匠用疑似単位板が表面に複数配列されていることが前提となる。
【００４１】
建材選択部１５０は、指示入力部１８０が入力したオペレータからの指示に基づいて、建材データベース１２０から、１種類もしくは複数種類の板状建材を選択する処理を行う。また、配置パターン決定部１６０は、指示入力部１８０が入力したオペレータからの指示に基づいて、建材選択部１５０によって選択された板状建材を二次元平面上に配置するための特定の配置パターンを決定する処理を行う。一方、ＣＡＤデータ入力部１７０は、施工対象面の平面図を含むＣＡＤデータを入力する処理を行う。図示の例では、設計事務所Ｘで作成されたＣＡＤデータＡがＣＡＤデータ入力部１７０へと入力された状態が示されている。ＣＡＤデータＡは、オンラインで入力することも可能であるし、何らかの情報記録媒体を介して入力することも可能である。
【００４２】
施工結果画像作成部１３０は、ＣＡＤデータ入力部１７０によって入力されたＣＡＤデータＡによって特定される施工対象面上に、建材選択部１５０で選択された板状建材１０を、配置パターン決定部１６０で決定された配置パターンに基づいて配置したときの、物理境界線Ｇ１および疑似境界線Ｇ２の位置を示す施工結果画像を作成する機能を有し、ここで作成された施工結果画像は、画像表示部１１０によって表示される。
【００４３】
以下、この施工結果画像作成部１３０の処理機能を、具体例に即して更に詳細に説明する。施工結果画像作成部１３０には、建材選択部１５０で選択された板状建材１０に関するデータ、配置パターン決定部１６０で決定された配置パターンに関するデータ、ＣＡＤデータ入力部１７０によって入力されたＣＡＤデータＡがそれぞれ与えられることになる。ここでは、建材選択部１５０によって、図１に示す板状建材１０が床材として選択されたものとし、配置パターン決定部１６０によって、図６(b) に示す配置パターン（ずれ量をＬ／４に設定した配置パターン）が決定されたものとし、ＣＡＤデータ入力部１７０によって、図８の平面図（基準点Ｑに関しては後に説明する）に示すような施工対象面（部屋の床）の情報を含むＣＡＤデータが入力されたものとしよう。
【００４４】
ＣＡＤデータＡには、図８に示すような施工対象面の平面図が実寸データとして含まれており、選択された板状建材１０に関するデータには、当該板状建材１０の平面図が実寸データとして含まれているので、施工結果画像作成部１３０は、図８に示す施工対象面上に、図６(c) に示す画像（選択された板状建材１０を、ずれ量Ｌ／４に設定した配置パターンで配置した画像）を重ねることにより、図９に示すような画像を作成することができ、更に、施工対象面の内部のみを切り出すことにより、図１０に示すような画像を作成することができる。板状建材１０の平面図には、物理境界線Ｇ１の位置と疑似境界線Ｇ２の位置とが含まれているので、図１０に示す画像は、これら境界線Ｇ１，Ｇ２の位置を示す施工結果画像となっている。
【００４５】
なお、建材選択部１５０によって、オペレータに特定の板状建材を選択させるには、建材データベース１２０内に格納されている個々の板状建材の外観を画像表示部１１０に表示させ、任意の板状建材を指示入力部１８０から指定させるようにすればよい。
【００４６】
一方、配置パターン決定部１６０によって、オペレータに特定の配置パターンを指定させるには、次の２通りの方法が考えられる。第１の方法は、配置パターン決定部１６０に、複数通りの配置パターンを予め記憶させておき、指示入力部１８０が入力したオペレータの選択指示に基づいて、この複数通りの配置パターンの中から特定のパターンを選択する方法である。この場合、たとえば、図４(b) ，図５(b) ，図６(b) に示すような配置パターンを画像表示部１１０上に表示させ、オペレータに所望の配置パターンを選択させればよい。
【００４７】
第２の方法は、配置パターン決定部１６０に、指示入力部１８０が入力したパラメータに基づいて、配置パターンの決定を行う機能をもたせておく方法である。たとえば、図４(b) ，図５(b) ，図６(b) に示す配置パターンは、それぞれ、ずれ量＝０，Ｌ／２，Ｌ／４なる形態で表現することができる。より、一般論として拡張すれば、指示入力部１８０に、位相差ｄ（０≦ｄ≦１）をパラメータとして入力する機能をもたせておき、配置パターン決定部１６０に、二次元直交座標系の座標軸を第１の軸および第２の軸と定義したときに、第１の軸方向（図の例では横方向）の長さＬをもった同一矩形を、第１の軸方向（図の例では横方向）に連続的に配置して構成した行を、１つの行の矩形と次の行の矩形との第１の軸方向（図の例では横方向）のずれ量がｄ×Ｌとなるように第２の軸方向（図の例では縦方向）に繰り返し配置してなる配置パターンを決定する機能をもたせておくようにすれば、ｄ＝０なるパラメータを入力すると図４(b) のような配置パターンが決定され、ｄ＝１／２なるパラメータを入力すると図５(b) のような配置パターンが決定され、ｄ＝１／４なるパラメータを入力すると図６(b) のような配置パターンが決定される。
【００４８】
ところで、図８の平面図に、図６(c) に示す画像を重ねる場合、両者の位置関係は任意に設定することができる。しかも、この位置関係の設定が変われば、最終的に得られる図１０に示すような施工結果画像上の意匠も変わってくる。そこで、実用上は、指示入力部１８０から施工結果画像作成部１３０に対して、施工対象面上の所定位置を基準点Ｑとする指示を入力する機能をもたせておき、施工結果画像作成部１３０が、この基準点Ｑの位置に、板状建材１０側に予め定められた始点がくるように、板状建材の配置を行うようにするのが好ましい。
【００４９】
たとえば、図８に示す施工対象面の平面図には、左上の隅部に基準点Ｑの位置が指定されている。このような基準点Ｑの指示入力は、たとえば、ディスプレイ画面上の所定位置にマウスカーソルを移動し、ダブルクリック操作を行うなどの方法で行うようにすればよい。図９は、図８に示す平面図に、図６(c) に示す画像を重ねたものであるが、両者の位置関係は、基準点Ｑを基準としたものとなっている。すなわち、この例では、板状建材１０側には、左上隅点を始点として定義してある。このため、基準点Ｑの位置に、板状建材１０の始点、すなわち、左上隅点がくるように、両画像が重ねられている。また、両画像を重ねる際の位置合わせには、回転のファクターも入ってくるが、ここでは、ＸＹ二次元座標系を定義し、図８に示すような施工対象面の平面図を、このＸＹ二次元座標系上に定義し、矩形状の板状建材の各辺がＸ軸およびＹ軸に平行となるように、両画像の重ね合わせを行うようにしている。もちろん、必要ならば、指示入力部１８０により角度θの入力ができるようにしておき、矩形状の板状建材の各辺がＸ軸およびＹ軸に対して角度θだけ傾斜するように、両画像の重ね合わせを行うようにしてもよい。
【００５０】
こうして、施工結果画像作成部１３０によって作成された施工結果画像は、画像表示部１１０によってディスプレイ画面上に表示される。結局、オペレータの立場で見れば、設計事務所Ｘで作成されたＣＡＤデータＡをＣＡＤデータ入力部１７０に入力して、図８に示すような施工対象面の部屋の平面図を画像表示部１１０上で確認した後、この部屋の床に、「どの建材をどのような配置パターンで割り付けるか」という指示（上述の例の場合、図１に示す板状建材１０を、図６(b) に示す配置パターンで割り付ける旨の指示）を入力する作業と、基準点Ｑの位置を指定する作業を行うだけで、画像表示部１１０の画面上に、図１０に示すような施工結果画像の表示が行われることになる。もちろん、異なる板状建材を選択したり、異なる配置パターンを指定したり、異なる位置に基準点Ｑを指定したりした場合には、異なる施工結果画像が表示される。
【００５１】
結局、建築物の設計段階において、図１０に示すような施工結果画像を確認するようにすれば、個々の板状建材に固有の意匠用疑似単位板の境界線によって醸し出される意匠にも配慮した設計が可能になる。たとえば、建築物の設計者に、この施工作業支援装置１００を利用してもらうようにすれば、施工前の段階で、施主に対して、図１０に示すような施工結果画像を提示することができ、この部屋の床面全体の意匠が気に入るかどうかを確認することができる。
【００５２】
もちろん、指示入力部１８０から配置パターン決定部１６０に対して、別な配置パターンを決定する指示入力を行ったり、指示入力部１８０から別な基準点Ｑを指定する指示入力を行ったりすれば、当該別な配置パターンや別な基準点による配置結果を示す画像が表示されるので、何とおりかの配置パターンや基準点位置を試して、施主に好みの配置パターンや基準点位置を決定してもらうことも可能である。また、指示入力部１８０から建材選択部１５０に対して、別な板状建材を選択する指示入力を行えば、当該別な板状建材を用いた結果を示す画像が表示されるので、何とおりかの板状建材を試して、施主に好みの板状建材を選択してもらうことも可能である。
【００５３】
なお、設計事務所Ｘにおいて、施工対象面を含む部屋の立体構造を示すＣＡＤデータＡを用意してもらい、これをＣＡＤデータ入力部１７０に入力するようにすれば、施工結果画像作成部１３０は、図１０に示すような部屋の平面図からなる施工結果画像だけでなく、当該部屋の三次元透視図（いわゆるパース図）からなる施工結果画像も作成することができるので、施主は、床面の施工結果を部屋の斜め上方から俯瞰した状態で確認することができるようになる。
【００５４】
また、表面に木目柄や石目柄などの柄模様を有する板状建材を利用する場合には、建材データベース１２０内に、個々の板状建材が有する柄模様のデータも併せて格納しておくようにすれば、施工結果画像作成部１３０によって、各板状建材の物理境界線および疑似境界線の位置とともに、各板状建材の柄模様を示す施工結果画像を作成することが可能になる。このような柄模様を含んだ施工結果画像を表示させれば、より臨場感に富んだ形で意匠の提示を行うことができる。
【００５５】
＜＜＜  §３．施工作業の支援形態  ＞＞＞
以上、設計段階における施工作業支援装置１００の利用形態を述べたが、この設計段階において、配置パターンや基準点Ｑの決定を行ったとしても、実際の施工時に、当該配置パターンや基準点Ｑに基づく施工が行われなければ意味がない。本発明は、そもそも板状建材の施工作業支援装置であり、最終的には、建築の現場で行われる施工作業を支援する目的をもった装置である。
【００５６】
現場で行われる施工作業が、設計段階で予定していたとおりのものとなるようにするための最も簡単な方法は、現場の作業者（大工）に、図１０に示すような施工結果画像を提示することである。たとえば、現場の作業者に、画像表示部１１０に表示された施工結果画像を見ながら施工作業を進めてもらうようにすれば、設計どおりの施工作業を行うことができる。
【００５７】
しかしながら、施工作業支援装置１００を施工現場Ｚまでもってゆき、画像表示部１１０に表示された施工結果画像を現場の作業者に見せることは、あまり実用的な方法ではない。そこで、図７に示す実施形態では、施工作業支援装置１００内に指示情報作成部１４０を設け、この指示情報作成部１４０によって作成した指示情報により、施工現場Ｚの作業者に指示を与えることができるようにしている。また、この指示情報作成部１４０は、加工工場Ｙに対しても、切断加工に関する指示を与える機能を有している。
【００５８】
すなわち、図７に示す指示情報作成部１４０のもつ第１の機能は、ＣＡＤデータ入力部１７０によって入力されたＣＡＤデータＡと配置パターン決定部１６０で決定された配置パターンとに基づいて、建材選択部１５０で選択された板状建材１０に対して施す切断加工を指示する切断加工指示情報Ｂを作成する機能である。この切断加工指示情報Ｂは、加工工場Ｙへと送付され、板状建材１０に対する切断加工を行う際に参照されることになる。
【００５９】
たとえば、、図８に示すような平面図がＣＡＤデータＡとして与えられ、基準点Ｑの指定が行われ、図６(a) に示すような板状建材１０が選択され、図６(b) に示すような配置パターンの決定が行われた場合、施工結果画像作成部１３０によって、図９に示すような画像の重ね合わせが行われることは既に述べたとおりである。この図９に示す画像は、施工対象となる床面の平面図に、図６(a) に示す板状建材１０を複数枚並べて示したものである。結局、加工工場Ｙでは、この図９に示されている情報が切断加工指示情報Ｂとして与えられれば、図６(a) に示す板状建材１０を必要な枚数だけ用意し、図９に太線で示す部屋の輪郭に沿って、必要な部分を切断加工する処理を行えば、施工に必要な材料が用意できることを認識することができる。そこで、加工工場Ｙでは、この切断加工指示情報Ｂに基づいて、必要な切断加工を実施し、加工後の板状建材を施工現場Ｚに納品することできる。
【００６０】
切断加工指示情報Ｂとしては、切断加工を行うために必要な情報が網羅されていれば、どのような形態のものを用意してもかまわない。たとえば、図９に示す図面をそのまま紙にプリントしたものを、切断加工指示情報Ｂとして加工工場Ｙに渡すようにしてもよい。この場合は、加工工場Ｙの加工担当者が、この図面を見ながら手作業で切断加工を行うことになる。
【００６１】
ただ、実用上は、指示情報作成部１４０によって、図９の図面に示された情報をデジタルデータの形式で表現した切断加工指示情報Ｂを出力させるようにし、これをオンライン経由で加工工場Ｙ内の加工用コンピュータに送信し、コンピュータ制御により、必要な切断加工が自動的に行われるようにするのが好ましい。
【００６２】
一方、図７に示す指示情報作成部１４０のもつ第２の機能は、ＣＡＤデータ入力部１７０によって入力されたＣＡＤデータＡと配置パターン決定部１６０で決定された配置パターンとに基づいて、建材選択部１５０で選択された板状建材１０を用いた施工作業を指示する施工作業指示情報Ｃを作成する機能である。この施工作業指示情報Ｃは、施工現場Ｚへと送付され、板状建材１０を用いた施工作業を行う際に参照されることになる。
【００６３】
施工作業指示情報Ｃの内容は、図１０に示すような施工結果を現場の作業者に伝えることができる内容であれば、どのような形態のものであってもかまわない。たとえば、図１０に示す施工結果画像をそのまま紙にプリントしたものを、施工作業指示情報Ｃとして施工現場Ｚへ渡すことも可能である。ただ、ここに示す実施形態では、指示情報作成部１４０は、図１０に示す画像の代わりに、図１１に示す画像を紙にプリントしたものを、施工作業指示情報Ｃが記載された施工作業指示書として出力する機能をもっている。
【００６４】
図１０に示す施工結果画像には、物理境界線Ｇ１および疑似境界線Ｇ２、すなわち、個々の意匠用疑似単位板１１の境界線からなる模様が示されているのに対し、図１１に示す平面図は、施工対象面上に配置された個々の板状建材１０の物理的輪郭線のみを示すものになっている。ここに述べる実施形態の場合、加工工場Ｙから施工現場Ｚへ納品される板状建材１０は、前述したとおり、既に必要な切断加工が完了した状態となっており、図１１に示されている各板状建材１０の物理的輪郭線は、加工工場Ｙから納品される実際の板状建材１０の物理的輪郭線に合致している。したがって、施工現場Ｚの作業者は、図１１に示すような平面図を施工作業指示情報Ｃとして入手できれば、施工作業を行う上で有用である。図示の実施形態の場合、設計事務所Ｘで作成されたＣＡＤデータＡも、施工現場Ｚへと送付されるので、作業者は、必要があれば、このＣＡＤデータＡの内容も参照した上で施工作業を進めることができる。
【００６５】
ただ、実用上は、加工工場Ｙからの出荷時に、個々の板状建材にそれぞれ固有の識別コードを付与するようにし、施工作業指示情報Ｃとして施工現場Ｚに与えられる平面図上にも、同じ識別コードを記述するのが好ましい。図１１に示す例では、丸数字１番〜１９番までの識別コードが、平面図上の各板状建材の位置に記述されている。これらの識別コードは、加工工場Ｙから納品される個々の板状建材に実際に付される識別コードに一致している。別言すれば、加工工場Ｙから納品される合計１９枚の板状建材には、それぞれ１番〜１９番までの識別コードが付されていることになる。このように、施工作業指示情報Ｃとして与えられた平面図上の各板状建材の位置に、加工工場Ｙから納品される個々の板状建材に実際に付される識別コードを記述しておけば、施工作業を極めて円滑に行うことが可能になる。すなわち、現場の作業者は、施工作業を行う際に、図１１に示すような平面図を施工作業指示書として受け取ることができれば、たとえば、丸数字１番の位置には、１番という識別コードが付された板状建材を配置すればよいことを直観的に把握することができる。
【００６６】
なお、加工工場Ｙから出荷する板状建材に、１番〜１９番までの識別コードを付すためには、図１１に示されている識別コードの情報を、切断加工指示情報Ｂとともに加工工場Ｙへ引き渡すようにすればよい。識別コードの付加は、たとえば、１番〜１９番までの番号を印刷したシールを、加工済みの個々の板状建材に貼り付けるようにしてもよいし、個々の建材にＩＣタグを貼り付け、各ＩＣタグに１番〜１９番までの識別コードを書き込むようにしてもよい。
【００６７】
また、図１１に示す施工作業指示書には、施工順序を示す情報も含まれている。すなわち、図１１の平面図上の丸数字１番〜１９番は、加工工場Ｙから納品される１９枚の板状建材についての施工順序を示している。この例の場合、作業者は、まず、丸数字１番と記載されている板状建材を床に貼り付ける作業を行った後、丸数字２番と記載されている板状建材を床に貼り付ける作業を行い、更に、丸数字３番、４番、…１９番と作業を進めてゆく必要がある。
【００６８】
このように、板状建材を貼り付ける作業を行う際に施工順序を考慮しなければならない理由は、この実施形態に係る板状建材１０には、図６(a) に示すように、嵌合用凸部１４および嵌合用凹部１５が設けられているためである。すなわち、図６(a) に示す板状建材１０は、矩形状をなし、隣接する２つの側面（図６(a) の平面図における右辺および下辺）に嵌合用凸部１４を有し、これらに対向する２つの側面（図６(a) の平面図における左辺および上辺）に嵌合用凹部１５を有する構造となっている。このような構造をもった板状建材１０を床面に貼り付ける場合、嵌合用凸部１４の部分から床面に向かって釘を打ち込むことにより、板状建材１０を床面に対してしっかりと固定するのが一般的である。このような工程を採る場合、必然的に、釘により固定した嵌合用凸部１４に、別な板状建材１０の嵌合用凹部１５を嵌め込む、という順序で、作業を進めてゆかねばならない。そうすると、図６(a) に示すような板状建材１０を、図１１に示すような位置に配置するためには、図示のとおり、丸数字１番〜１９番へ向かって順番に貼り付け作業を進めてゆかねばならないことになる。
【００６９】
図７に示す施工作業支援装置１００の場合、建材データベース１２０内には、板状建材１０についてのデータが、嵌合用凸部１４および嵌合用凹部１５の位置を示すデータとともに格納されている。したがって、指示情報作成部１４０は、この嵌合用凸部１４および嵌合用凹部１５の位置を考慮して、施工順序を示す施工作業指示情報Ｃを作成することができ、図１１に示すように、施工順序まで指示した施工作業指示書を出力することができる。もちろん、施工作業指示情報Ｃは、必ずしも紙の形態の指示書として出力する必要はなく、デジタルデータの形式で出力して作業者に渡してもかまわない。
【００７０】
＜＜＜  §４．種々の実施形態  ＞＞＞
以上、本発明を図示する基本的実施形態に基づいて説明したが、本発明は、上述した実施形態に限定されるものではなく、この他にも種々の形態で実施可能である。
【００７１】
たとえば、図１に示す板状建材１０は、本発明に適用可能な板状建材のほんの一例を示すものであり、板状建材上に形成される疑似境界線の形態は様々なものでかまわない。図１２(a) 〜(e) は、板状建材のいくつかのバリエーションを示す平面図である。いずれも縦横比が１：６の細長い矩形状の板状建材であり、右辺および下辺の太線は、嵌合用凸部を示している。矩形内部の線は、疑似境界線であり、多数の板状建材を所定の配置パターンで敷き詰めた場合、これらの境界線によって様々な模様が現れることになる。
【００７２】
また、上述の実施形態では、建材選択部１５０により１つの板状建材１０を選択し、この選択した同一の板状建材１０を多数配置することにより、床面などの施工を行う例を述べたが、建材選択部１５０により選択する板状建材は、必ずしも１つに限定されるものではなく、複数種類の板状建材を選択するようにしてもかまわない。但し、複数の板状建材を選択した場合、配置パターン決定部１６０により決定される配置パターンも、当該複数の板状建材に対応したものになっている必要がある。
【００７３】
たとえば、図１２(a) に示す板状建材と図１２(b) に示す板状建材との２種類の板状建材が選択された場合、これら２種類の板状建材は、互いに大きさは等しいものの、疑似境界線の位置が若干異なっている。したがって、これら２種類の板状建材についての配置パターンは、どちらの板状建材をどこに配置するか、という情報を含んでいる必要がある。図１３〜図１６は、このような条件を満たす配置パターンを示すものである。図に白塗りの矩形で示す位置には第１の板状建材を配置し、図にハッチングを施した矩形で示す位置には第２の板状建材を配置することを示している。
【００７４】
このように、用いる板状建材が複数種類になると、「ずれ量」のような単純なパラメータで配置パターンを特定することはできなくなる。たとえば、図１３に示す配置パターンと図１４に示す配置パターンとは、矩形自体の配置は同一であるが、２種類の板状建材の配置位置が異なるため、全く異なる配置パターンとなっている。図１５に示す配置パターンと図１６に示す配置パターンについても同様である。
【００７５】
図１７は、互いに大きさおよび形状（矩形の縦横比率）の異なる２種類の板状建材が選択された場合に用いる配置パターンの一例を示す平面図である。やはり、図に白塗りの矩形で示す位置には第１の板状建材を配置し、図にハッチングを施した矩形で示す位置には第２の板状建材を配置することを示している。図示のとおり、第１の板状建材の縦幅に比べて、第２の板状建材の縦幅は半分となっている。
【００７６】
図１８は、単一の板状建材についての配置パターンではあるが、板状建材の向きを横にして配置する部分と縦にして配置する部分とが混じり合った配置パターンになっている。本発明では、このように、向きを縦横混合させた配置パターンを利用することも可能である。
【００７７】
また、上述の実施形態では、板状建材に対する切断工程を、加工工場Ｙで行う例を述べたが、もちろん、切断工程を経ない板状建材を施工現場Ｚへそのまま納品し、施工現場Ｚにおいて作業者が適宜切断工程を行う場合にも、本発明は適用可能である。この場合、切断加工指示情報Ｂは、施工現場Ｚの作業者に提示される。
【図面の簡単な説明】
【００７８】
【図１】本発明に係る施工作業で用いられる板状建材１０の一例を示す斜視図である。
【図２】図１に示す板状建材１０を切断線２−２に沿って切断した状態を示す側断面図である。
【図３】図２に示す板状建材１０のバリエーションを示す側断面図である。
【図４】図１に示す板状建材１０を、ずれ量０に相当する配置パターンで貼り付けた結果を示す平面図である。
【図５】図１に示す板状建材１０を、ずれ量Ｌ／２に相当する配置パターンで貼り付けた結果を示す平面図である。
【図６】図１に示す板状建材１０を、ずれ量Ｌ／４に相当する配置パターンで貼り付けた結果を示す平面図である。
【図７】本発明の一実施形態に係る板状建材の施工作業支援装置１００の基本構成を示すブロック図である。
【図８】図７に示すＣＡＤデータＡに含まれている施工対象面の一例を示す平面図である。
【図９】図８に示す平面図に、図６(c) に示す画像を重ねた平面図である。
【図１０】図９に示す平面図から、施工対象面内の画像のみを抽出することにより得られた施工結果画像を示す平面図である。
【図１１】図７に示す施工作業指示情報Ｃが記載された施工作業指示書の一例を示す平面図である。
【図１２】本発明の適用対象となる板状建材のいくつかのバリエーションを示す平面図である。
【図１３】同じサイズの２種類の板状建材が選択された場合に利用される配置パターンの第１の例を示す平面図である。
【図１４】同じサイズの２種類の板状建材が選択された場合に利用される配置パターンの第２の例を示す平面図である。
【図１５】同じサイズの２種類の板状建材が選択された場合に利用される配置パターンの第３の例を示す平面図である。
【図１６】同じサイズの２種類の板状建材が選択された場合に利用される配置パターンの第４の例を示す平面図である。
【図１７】異なるサイズの２種類の板状建材が選択された場合に利用される配置パターンの一例を示す平面図である。
【図１８】同一の板状建材を縦および横に配置した配置パターンの一例を示す平面図である。
【符号の説明】
【００７９】
１０…板状建材
１１…意匠用疑似単位板
１２…表面装飾層
１２ａ，１２ｂ，１２ｃ…表面装飾層の各部分
１３…合板基材部
１４…嵌合用凸部
１５…嵌合用凹部
１００…施工作業支援装置
１１０…画像表示部
１２０…建材データベース
１３０…施工結果画像作成部
１４０…指示情報作成部
１５０…建材選択部
１６０…配置パターン決定部
１７０…ＣＡＤデータ入力部
１８０…指示入力部
Ａ…ＣＡＤデータ
Ｂ…切断加工指示情報
Ｃ…施工作業指示情報
Ｇ１…物理境界線
Ｇ２…疑似境界線
Ｌ…板状建材の横方向の長さ
Ｑ…基準点
Ｗ…意匠用疑似単位板の幅
Ｘ…設計事務所
Ｙ…加工工場
Ｚ…施工現場
【図１】
2006164114.tif 000003
【図２】
2006164114.tif 000004
【図３】
2006164114.tif 000005
【図４】
2006164114.tif 000006
【図５】
2006164114.tif 000007
【図６】
2006164114.tif 000008
【図７】
2006164114.tif 000009
【図８】
2006164114.tif 000010
【図９】
2006164114.tif 000011
【図１０】
2006164114.tif 000012
【図１１】
2006164114.tif 000013
【図１２】
2006164114.tif 000014
【図１３】
2006164114.tif 000015
【図１４】
2006164114.tif 000016
【図１５】
2006164114.tif 000017
【図１６】
2006164114.tif 000018
【図１７】
2006164114.tif 000019
【図１８】
2006164114.tif 000020